(57)【要約】【課題】高さの高い擁壁であっても容易かつ確実に構築することができるばかりでなく、高い強度を兼ね備えたコンクリート製擁壁用ユニットを提供する。【解決手段】コンクリート製擁壁用ユニット６を前面パネル７と、前面パネル７の両端縁に連結されて後方に延びる一対の側面パネル８，８と、棚板４とで平面略「コ」字形に構成する。一対の中板９を側面パネル８，８間に掛け渡して交差状に配置し、側面パネル８の内側面に形成された縦溝８ａに差筋の上、モルタル充填して固定する。【選択図】  図１
2008057205.tif 000002
【特許請求の範囲】
【請求項１】
擁壁の前壁を構成するコンクリート製前面パネルと、該前面パネルの両端縁に連結されて後方に延びる一対のコンクリート製側面パネルとからなる擁壁用ユニットであって、前記側面パネル間に交差状に差し渡して中板を設けたことを特徴とするコンクリート製擁壁用ユニット。
【発明の詳細な説明】
【技術分野】
【０００１】
本発明は、擁壁を構築するために使用されるコンクリート製擁壁用ユニットに関するものである。
【背景技術】
【０００２】
従来から、コンクリートブロックを使用した高さの低い擁壁はあるが、高さの高い擁壁では、現場打ちの鉄筋コンクリートを用いるのが一般的であった。しかしながら、鉄筋コンクリート式の擁壁の構築にあたっては、現場打ちであるため、工期、施工及び経済性等において難点があり、とくに施工上のスペースや相当の根切り確保のため多大のスペースを要し、作業上の切土量も多くなる等の欠点があった。そこで、コンクリート、鉄筋、型枠等を省力化することができると共に高さの高い擁壁であっても工期を短縮することができ、工事全体のコストダウンが可能な擁壁の構築方法及び擁壁構造（特許文献１参照。）が提案されている。
【０００３】
また、図１及び図２に示すように、前壁２を構成する前面パネル７と、前面パネル７の両端側縁に連結されて後方に延びる２つの控え壁８と、控え壁８間に差し渡して配置されると共に控え壁８の内側面に斜めに形成された棚受部８ｂで支持される棚板４とで擁壁構築体ユニットを構成し、これを使用して擁壁を構築する技術が提案されている（特許文献２参照。）。
【０００４】
【特許文献１】特開平８−１８９０４７号公報
【特許文献２】実用新案登録第３０１４１８５号公報
【発明の開示】
【発明が解決しようとする課題】
【０００５】
本発明もまた、上記のような従来技術の欠点を解消し、高さの高い擁壁であっても容易かつ確実に構築することができるばかりでなく、高い強度を兼ね備えたコンクリート製擁壁用ユニットを提供することを目的とする。
【課題を解決するための手段】
【０００６】
上記目的を達成するため、本発明は、擁壁の前壁を構成するコンクリート製前面パネルと、該前面パネルの両端縁に連結されて後方に延びる一対のコンクリート製側面パネルとからなる擁壁用ユニットであって、前記側面パネル間に交差状に差し渡して中板を設けたことを特徴とする。
【０００７】
前面パネルの両端には帯鉄製の連結金具が突出しており、この連結金具と一対の側面パネルの前端縁から突出する連結金具とを連結することにより前面パネルと一対の側面パネルとが平面略「コ」字形に連結される。
【０００８】
また、前面パネルの下縁には客土中から流出する水の水抜き穴を形成すべき横長の凹部が形成されており、この前面パネルを順次積み重ねることにより擁壁にはスリット状の水抜き穴が形成される。
【０００９】
上記のような構成の擁壁用ユニットが横方向に並列配置されると共に順次積み重ねて配置され、一対の側面パネル間に胴込コンクリートが充填されて擁壁が構築される。すなわち、予め製造された前面パネル、側面パネル及び棚板等の部品ユニットを現場に搬送して擁壁用ユニットを組立て、基礎を構築した後、縦筋等の配筋を施してこのユニットを並列配置すると共に、順次積み重ね、胴込みコンクリートを打設するだけで擁壁を構築することができる。
【００１０】
すなわち、前面パネルと側面パネルとは、前面パネルの両端から突出している連結金具に側面パネルの前端縁に突出している連結金具を連結することにより平面略「コ」字形に連結され、側面パネル間には２〜３段毎に抜型枠を挿入して胴込コンクリートが充填される。棚板は側面パネルの内側面に斜めに切欠き形成された棚板受部に差し込み載置することにより所定の角度で傾斜して配置され、裏込材や客土を盛ることにより擁壁が構築される。
【００１１】
構築された擁壁にはスリット状の水抜き穴が形成され、棚板は後端縁が上向くように傾斜しているから、前壁と棚板との付根に棚板の上面に沿って客土中の水が急速に集まりこの水抜き穴から一気に排出される。
【発明の効果】
【００１２】
（１）擁壁の構築に際してユニットを現場に搬送し、簡単に施工することができる。
（２）コンクリート、鉄筋、形枠等を省力化することができると共に、高い擁壁であっても短期間で施工でき、工事全体のコストを削減できる。
（３）基礎幅を短くすることができて基礎構築の切土量等を少なくすることができる。
（４）垂直擁壁の構築が可能であり、急傾斜面、長大法面等の場所、その他、従来工法では不可能であった場所に安全度の高い擁壁を構築することができる。
（５）擁壁全体を柔構造とすることができると共に、中板が地中梁になり、しかも緩衝装置となるため、鉄道、道路、工場等の振動が多い場所、地震発生時の避難場所等に安全度の高い擁壁を構築することができる。
【発明を実施するための最良の形態】
【００１３】
以下、本発明の実施の形態を図面に示す実施例に基づいて説明する。
図１は本発明を用いて擁壁を構築した状態を模式的に示す縦断面図、図２は従来の擁壁用ユニットの分解斜視図、図３は従来の擁壁用ユニットを設置した状態を示す平面図、図４は中板を平行状に配した擁壁ユニットを設置した状態を示す平面図、図５は中板を交差状に配した擁壁ユニットを設置した状態を示す平面図、図６は図５の中板の組合わせ状態を示す分解斜視図、図７は一体成形した中板を示す斜視図である。
【実施例】
【００１４】
先ず、従来の擁壁ユニット６を説明する。図１において、１は基礎、２は前壁（縦壁）、３は前壁２に設けられるスリット状の水抜き穴、４は前壁２の背面側に配置される棚板であって、後端縁が上向くように傾斜して設けられる。すなわち、６はコンクリート製の擁壁用ユニットであり、これを並列配置すると共に順次積み重ねて擁壁を構築する。この擁壁用ユニット６は、図２に示すように、前面パネル７と、前面パネル７の両端縁に連結されて後方に延びる一対の側面パネル８，８と、棚板４とで構成され、前面パネル７の下縁には前記水抜き用スリット３を形成すべき横長の凹部７ｂが形成されており、前面パネル７と一対の側面パネル８とは平面略「コ」字形に連結される。棚板４は側面パネル８，８間に差し渡して配置され、側面パネル８の内側面に切欠き形成された棚板受部８ｂに差し込んで支持できるようになっている。
【００１５】
図２乃至図３に示すように、前面パネル７には両端に突出させた帯鉄製の連結金具７ａが埋設されており、側面パネル８の前端縁に突出させて設けた同様の連結金具８ａとボルトナット等で連結される。この側面パネル８の連結金具８ａは側面パネル８を後方にも複数個連設できるように後方にも突出させることができる。そして、図１に示すように、前面パネル７及び一対の側面パネル８を連結して並列配置すると共に順次積み重ね、対向する側面パネル８，８間に側面パネル間には２〜３段毎に抜き型枠を挿入して胴込コンクリートを充填する。このように、側面パネル８，８間に胴込コンクリート１０を充填することにより擁壁が構築される。
【００１６】
そして、図４乃至図５に示すように、側面パネル８，８間に平行線上または対角線上に差し渡して一対の中板９を設けた。具体的には、側面パネル８，８の内面に形成された２本の縦溝８ａに差筋の上、モルタル充填して固定される。交差（クロス）状に配置する場合は、図６に示すように、中板９の中心に切欠き９ａを形成して組み合わせる。尚、この場合中板９を組み合わせるものでなく、図７に示すように当初からクロス型に一体成形しても良い。
【００１７】
擁壁ユニット６の耐震試験を行った。側面パネル８，８に直角方向に加圧し、中板９無し、中板９平行、中板９交差の場合について最大耐荷重（ｋＮ）を求めた。結果を表１に示す。
試験体寸法：
（１）全体：幅３００ｍｍ、長さ１７９０ｍｍ、高さ６２０ｍｍ
（２）前壁：幅３００ｍｍ、長さ１０００ｍｍ、厚さ１２０ｍｍ
（３）中板：幅２５０ｍｍ、長さ７４０ｍｍ、厚さ５０ｍｍ
試験体条件：
（１）中板無し
（２）中板平行
（３）中板交差
試験方法；
（１）加力方法：「ＪＩＳ  Ａ  １４１４」に準ずる
（２）加力方向：側面パネルに対して直角方向
（３）加力点高さ：５２８ｍｍ
【００１８】
【表１】
2008057205.tif 000003
【００１９】
表１から分かるように、中板９を交差状に配置した場合において擁壁ユニット６の耐震強度が格段に向上した。
【図面の簡単な説明】
【００２０】
【図１】本発明を用いて擁壁を構築した状態を模式的に示す縦断面図である。
【図２】従来の擁壁用ユニットの分解斜視図である。
【図３】従来の擁壁用ユニットを設置した状態を示す平面図である。
【図４】中板を平行状に配した擁壁ユニットを設置した状態を示す平面図である。
【図５】中板を交差状に配した擁壁ユニットを設置した状態を示す平面図である。
【図６】補強パネルの組合わせ状態を示す分解斜視図である。
【図７】一体成形した中板を示す斜視図である。
【符号の説明】
【００２１】
１      基礎
２      前壁
３      水抜き用スリット
４      棚板
５      胴込コンクリート
６      擁壁用ユニット
７      前面パネル
７ａ    連結金具
７ｂ    凹部
８      側面パネル
８ａ    連結金具
９      中板
９ａ    切欠き
【図１】
2008057205.tif 000004
【図２】
2008057205.tif 000005
【図３】
2008057205.tif 000006
【図４】
2008057205.tif 000007
【図５】
2008057205.tif 000008
【図６】
2008057205.tif 000009
【図７】
2008057205.tif 000010